(57)【要約】      （修正有）【課題】内容物充填後の組立工程において、内容物がバルブ孔を通過する心配なく容器の組み付けができるようにするとともに、使用着手された物であるか否かを感知できるようにする。【解決手段】ピストン部材２１の上端に抜け出し不能に押し釦３０が装着され、押し釦３０を押すことにより開通するバルブ機構４０を備えた作動機構２０と、内容物Ｎが充填された後、前記作動機構２０が組み付けられる有底筒状の容器本体１とを有し、前記作動機構２０を押し下げて内容物Ｎを吐出させる吐出容器において、前記容器本体１の肩カバー１０と前記ピストン部材２１とを予め仮の掛止状態に組み付けておき、前記押し釦３０を押し下げて前記バルブ機構４０を開通させた状態で前記肩カバー１０を前記容器本体１の頸部２に嵌着することにより前記作動機構２０を抜け出し不能に組み付け、使用の際、前記肩カバー１０と前記ピストン部材２１の仮掛止状態を解除して作動させる。【選択図】図１
2006298409.tif 000002
【特許請求の範囲】
【請求項１】
ピストン部材の上端に抜け出し不能に押し釦が装着され、前記押し釦を押すことにより開通するバルブ機構を備えた作動機構と、内容物が充填された後、前記作動機構が組み付けられる有底筒状の容器本体とを有し、前記作動機構を押し下げることにより内容物を吐出させる吐出容器において、前記容器本体の肩カバーと前記ピストン部材とを予め仮の掛止状態に組み付けておき、前記押し釦を押し下げて前記バルブ機構を開通させた状態で前記肩カバーを前記容器本体の頸部に嵌着することにより前記作動機構を抜け出し不能に組み付け、使用の際、前記肩カバーと前記ピストン部材の仮掛止状態を解除して作動させることを特徴とする吐出容器。
【請求項２】
肩カバーとピストン部材の仮掛止状態が、ピストン部材の摺動部に装着しピストンリングと、肩カバーの内周面に周設した突起とによるアンダーカット係合でなされ、押し釦によってピストン部材を強制下降させることにより前記仮掛止状態が解除されることを特徴とする請求項１記載の吐出容器。
【請求項３】
肩カバーとピストン部材の仮掛止状態が、ピストン部材の摺動部上方に突設した突起と、肩カバーの内周面に刻設した水平溝との水平係合でなされ、ピストン部材を解錠方向に水平回転させることにより前記突起が前記水平溝の乗り越え突起を乗り越えて前記仮掛止状態が解除されることを特徴とする請求項１記載の吐出容器。
【請求項４】
肩カバーとピストン部材の仮掛止状態が、ピストン部材の摺動部上方に突設した掛止突起を、内周面に連通するガイド溝を刻設した肩カバーのフランジ上面に掛止させることでなされ、ピストン部材を水平回転させて掛止突起とガイド溝の位置を合わせることにより仮掛止状態を解除するようにしたことを特徴とする請求項１記載の吐出容器。
【発明の詳細な説明】
【技術分野】
【０００１】
本発明は、クリームや整髪料、液体ファンデーション、軟膏のような流動性の物質を液密に収納し、押し釦を押すことにより内容物を適量取り出すようにした吐出容器に関する。
【背景技術】
【０００２】
従来より、消費者が使い易いことから、吐出口を有する押し釦を押し下げることによりピストンを作動させ、堅牢な容器に充填された流動性の内容物をピストンの圧力により吐出させるタイプの吐出容器が多数提案されている。
【０００３】
このような押し釦付きの吐出容器として、例えば、実開平８−１１７５号公報には、流動性物質を収納した容器本体の上部に押し釦により作動するポンプ機構を備えて構成され、押し釦を押し下げると、押し釦の吐出口に連通するバルブ孔が開通すると共にピストンの圧力によりポンプ機構のシリンダ内の内容物が押し釦の吐出口から吐出され、スプリングの力により押し釦が上昇すると、バルブ孔が閉鎖すると共にピストンの上昇に伴い発生する負圧によりポンプ機構のシリンダ内に充填物が吸引され、同時に容器本体の摺動底壁も上昇するものが開示されている。
【０００４】
この吐出容器は、押し釦を押すだけで内容物を取り出せるので極めて使い勝ってのよい吐出容器であるが、ポンプ機構や摺動底壁を備えているので機構が複雑で組立工数も多く高価な容器になってしまう欠点を有している。また、この吐出容器は、押し釦の１ストロークの作動で吐出される内容物の量がポンプ機構のシリンダの容量で規制されていることから、小形に設計された容器では、押し釦の１ストロークの吐出量が少ないものになり、所望の吐出量を得る為には押し釦を何度も繰り返し押さなければならない不便さがある。
【０００５】
この問題を解決するものとして、特許第３６１２０７９号公報に提示された押し釦付きの吐出容器がある。この吐出容器は、内容物が収納される容器本体を有底の外筒とこれに嵌挿される内筒とで二重筒とし、押し釦にスプリングを介して組込まれたピストンを容器本体の内筒内に直接配置して構成されており、押し釦を押してバネ圧に抗して内筒内のピストンを所望量押し込むことにより、押し釦の吐出口に連通し押し釦の下端に取り付けられている流出管のバルブ孔が開通し、押し釦の吐出口からピストンの下降量だけ内容物が押し出されるようになっている。
【０００６】
そして、この吐出容器を組み立てる際は、ピストンが組込まれた押し釦と内筒部材とを予め摺動可能に組み付けておき、この内筒部材を所定量の内容物が充填された有底の外筒部材内へ挿入し押圧して組み付ける。この組み付け工程において、容器内で圧縮された圧縮空気は、空気の蓄圧過程においてスプリングのバネ圧に抗して空気圧により開通するバルブ孔を通って押し釦の吐出口から外部に排出されるようになっている。
【０００７】
この従来の押し釦付きの吐出容器は、容器本体の内部にポンプ機構を設けることなく、容器本体内の内容物を直接ピストンで押し出す簡単な押し出し式の構成としたので、従来のポンプ式の容器に比較して部品数が少なく安価であり、且つ押し釦の押し込み量の手加減で所望量の内容物が吐出できる簡便さを有している。したがって、既述した問題を一応解決している。
【特許文献１】実開平８−１１７５号公報
【特許文献２】特許第３６１２０７９号公報
【発明の開示】
【発明が解決しようとする課題】
【０００８】
しかしながら、上記特許第３６１２０７９号公報に開示されている吐出容器は、内容物充填後の組み立て工程において、容器内の空気が蓄圧された状態で開放されることから、排出空気の勢いに内容物が巻き込まれてバルブ孔を通過し、押し釦の吐出口から噴出することも予想される。また、バルブ孔を通過した内容物が押し釦内に止まっても、バルブ孔を通過した内容物は通路内において外気に触れた状態におかれることとなり、乾燥や腐敗の心配がある。
【０００９】
また、この組み立て後の吐出容器は、その初動において使用着手後の容器と同様に直ちに作動する状態にあるので、不正に使用されたり過って作動させてしまった物との区別が物理的にも感覚的にも感知し難かった。
【００１０】
本発明は、上記の問題に鑑みてなされたもので、内容物充填後の組立工程において、内容物がバルブ孔を通過する心配なく容器の組み付けができるようにするとともに、使用着手された物であるか否かを感知できるようにすることにある。
【課題を解決するための手段】
【００１１】
本発明は、上記の問題を解決する為に、ピストン部材の上端に抜け出し不能に押し釦が装着され、前記押し釦を押すことにより開通するバルブ機構を備えた作動機構と、内容物が充填された後、前記作動機構が組み付けられる有底筒状の容器本体とを有し、前記作動機構を押し下げることにより内容物を吐出させる吐出容器において、前記容器本体の肩カバーと前記ピストン部材とを予め仮の掛止状態に組み付けておき、前記押し釦を押し下げて前記バルブ機構を開通させた状態で前記肩カバーを前記容器本体の頸部に嵌着することにより前記作動機構を抜け出し不能に組み付け、使用の際、前記肩カバーと前記ピストン部材の仮掛止状態を解除して作動させるようにした。
【００１２】
肩カバーとピストン部材の仮掛止状態が、ピストン部材の摺動部に装着しピストンリングと、肩カバーの内周面に周設した突起とによるアンダーカット係合でなされ、押し釦によってピストン部材を強制下降させることにより前記仮掛止状態が解除されることが好ましい。
【００１３】
また、肩カバーとピストン部材の仮掛止状態が、ピストン部材の摺動部上方に突設した突起と、肩カバーの内周面に刻設した水平溝との水平係合でなされ、ピストン部材を解錠方向に水平回転させることにより前記突起が乗り越え突起を乗り越えて前記仮掛止状態が解除されるようにしてもよい。
【００１４】
また、肩カバーとピストン部材の仮掛止状態が、ピストン部材の摺動部上方に突設した掛止突起を、内周面に連通するガイド溝を刻設した肩カバーのフランジ上面に掛止させることでなされ、ピストン部材を水平回転させて掛止突起とガイド溝の位置を合わせることにより仮掛止状態を解除するようにしてもよい。
【発明の効果】
【００１５】
本発明の吐出容器によれば、容器本体の肩カバーと作動機構のピストン部材を予め仮の掛止状態に組み付けておき、容器本体と作動機構の組み付工程において、作動機構のバルブ機構を開通させた状態で組み付け作業をするようにしたので、急激な排出空気による内容物の噴出が完全に防止されて容器の内外に内容物が付着することがなくなり、付着内容物の乾燥や腐敗に起因するトラブルの心配がない。
【００１６】
また、使用する際には、肩カバーとピストン部材の仮掛止状態を解除して作動させることから、解除操作中に抵抗感が伴うと共に、解除後は仮掛止状態に戻すことが困難な構成であるので、未使用の物と、不正に使用されたり過って作動させてしまった物との判別が極めて容易である。
【発明を実施するための最良の形態】
【００１７】
以下、本発明の吐出容器の好適な実施の形態を、図面を参照しながら詳細に説明する。
【００１８】
図１乃至図４は、本発明の吐出容器の第１の実施の形態を示しており、図１に示すように、この実施の形態の吐出容器は、肩カバー１０が嵌着する頸部２を有する有底筒状の容器本体１と、前記肩カバー１０により容器本体１に抜け出し不能に組み付けられる作動機構２０と、この作動機構２０を被覆する蓋体５０とから略構成されている。
【００１９】
容器本体１は、胴部３の上端に広口の頸部２を有するジャーであり、頸部２の上端外周には肩カバー１０が係合するアンダーカット係合用の下向き段部２ａが形成され、底壁４はその中央に窪み穴４ａが形成された内向きの球状傾斜面とされている。この容器本体１は、汎用合成樹脂を用いて成型され、内容物を外側から見せる場合はＳＡＮ、ＰＳ等、透明性の合成樹脂が用いられる。
【００２０】
容器本体１の肩カバー１０は、その内周面１１の直径が容器本体１の内壁の直径と同寸の輪状に形成されており、図２に拡大して示すように、肩カバー１０の口頸部１６の上端部にはピストン部材２１の抜け出しを阻止するフランジ１２が形成され、このフランジ１２から所定距離下方の内周面１１には、ピストンリング２６とアンダーカット係合することにより作動機構２０を仮止めする為の仮掛止用の突起１３が周設されている。また、肩カバー１０の裾部１４内面には容器本体１の頸部２とアンダーカット係合する為の上向き段部１５が形成されている。
【００２１】
作動機構２０は、容器本体１内に摺動下降可能に組込まれるピストン部材２１と、このピストン部材２１の上端に離隔方向に付勢するスプリング４９を介して抜け出し不能に装着された押し釦３０と、この押し釦３０を押し下げることにより開通するバルブ機構４０とで構成されている。
【００２２】
ピストン部材２１は、容器本体１における内向きの球状傾斜面と同じ球状傾斜面に形成された底板部２２を有し、底板部２２の外縁に起立する外筒部２３と、底板部２２の中央に起立する内筒部２８とから成る。
【００２３】
外筒部２４の内周面には押し釦３０の下降を規制する縦リブ２４が設けられていると共に、外筒部２４の上端には装着された押し釦３０の抜け出しを阻止する為の下向き段部２５が形成されており、外筒部２４の下端部外周面には容器本体１の内周面に摺動するピストンリング２６が嵌め込まれた外筒部２４よりも径大な摺動部２７が形成されている。
【００２４】
また、内筒部２８の上端は外筒部の縦リブ２４の上端と同じ高さとされ、内筒部２８の内面にはバルブ機構４０の吐出管４１が摺動可能に挿通されている。
【００２５】
このピストン部材２１を肩カバー１０の内側から嵌挿し、図２に示すように、ピストンリング２６と肩カバー１０の仮掛止用の突起１３とでアンダーカット係合することにより、ピストン部材２１と肩カバー１０は仮の掛止状態におかれている。この仮掛止状態は、ピストン部材２１に掛止強度よりも強い下降方向の力が加わることにより解除される。
【００２６】
押し釦３０は、その外周壁３１の下端外面にピストン部材２１における外筒部２４上端の下向き段部２５に当接するフランジ３２が形成されていてピストン部材２１からの抜け出しが阻止されており、押し釦３０の内周壁３３には吐出口３４の横通路３５に連通する縦通路３６が穿設されいる。
【００２７】
また、押し釦３０の縦通路３６には、ピストン部材２１に摺動可能に挿通したバルブ機構４０を構成する吐出管４１の上端部が挿嵌されており、吐出管４１の通路４１ａは押し釦３０の通路３５、３６と連通している。
【００２８】
バルブ機構４０は、押し釦３０の操作により、吐出管４１の下端に形成されたフランジ部４２に沿って穿設されたバルブ孔４３が、ピストン部材２１の内筒部２８から出没することにより開閉するものである。押し釦３０とピストン部材２１の間に配設されて離隔方向に付勢するスプリング４９の力に抗して押し釦３０を押圧すると、吐出管４１が下降してバルブ機構４０は開放状態になる。
【００２９】
バルブ機構４０を開放する際の押し釦３０の押し代は、押し釦３０が下降して当接するピストン部材２１の縦リブ２４の上端面と内筒部２８の上端面２８ａとで規制されており、押し釦３０が押されて押し代分だけ縮むときのピストン部材２１にかかるスプリング４９の圧縮力Ｐは、ピストン部材２１と肩カバー１０の仮の掛止状態における掛止強度Ｉよりも弱く、Ｐ＜Ｉに設定されている。
【００３０】
この吐出容器を組み立てるには、図３に示すように、予め肩カバー１０とピストン部材２１を仮の掛止状態に組み付けた作動機構２０を、内容物Ｎが口元まで充填された容器本体１の頸部２に戴置し、下降する治具Ｇにより、押し釦３０を押し下げてバルブ機構４０を開通させた状態に保つと共に、肩カバー１０を突いて肩カバー１０の裾部１４と容器本体１の頸部２をアンダーカット係合により嵌合させる。
【００３１】
治具Ｇによるバルブ機構４０を開通させた状態での容器の組み立て作業により、容器内の空気が蓄圧されることがなく、容器内の空気はバルブ孔４３から吐出管４１の通路４１ａを通って押し釦３０の吐出口３４からスムースに排出される。したがって、排出空気の勢いに内容物Ｎが巻き込まれるようなことがなく、組み立て工程で発生する様々なトラブルを防止することができる。
【００３２】
また、作動機構２０は、ピストン部材２１にかかるスプリング４７の圧縮力よりもピストン部材２１と肩カバー１０の仮の掛止強度が強く設定されていて、且つ治具Ｇにより肩カバー１０を突いて組み付けられるので、作動機構２０の組み付け後も、ピストン部材２１と肩カバー１０の仮の掛止状態は保持されている。
【００３３】
したがって、この容器を使用する際は、使用者が押し釦３０を押すと、バルブ機構４０が開通すると共に、ピストン部材２１のピストンリング２６と肩カバー１０の仮掛止用の突起１３とのアンダーカット係合による掛止状態の抵抗を受ける。この抵抗感により未使用であることが感知できる。
【００３４】
そして、押し釦３０により掛止強度よりも強い下降方向の力をピストン部材２１に加わえると、ピストンリング２６が仮掛止用の突起１３を乗り越えて仮掛止状態が解除され、吐出可能状態となる。使用によりピストン部材２１が下降すると、元の仮掛止状態に戻すことが困難であり、不正使用の感知機能が極めて高い。
【００３５】
充填内容物Ｎは作動機構２０の押し下げ量だけ吐出管４１を通って吐出口３４から押し出され、図４に示すように、最終的には容器本体１内にピストン部材２１が完全に没入することにより内容物Ｎはほぼ完全に吐出される。
【００３６】
図５以下は、別の実施の形態を示しており、容器の基本的形態は先の実施の形態と同様であるので、共通する部分については同一符号を付し、その説明を省略する。
【００３７】
図５に示す実施の形態は、肩カバー１０の口頸部１６の内周面に水平溝１７を刻設すると共に、ピストン部材２１の摺動部２７の上方に水平溝１７に係脱可能に係合する突起２９を突設し、突起２９と水平溝１７を水平係合することにより、肩カバー１０とピストン部材２１を仮係合状態としたものである。
【００３８】
水平溝１７は、図６に展開して示すように、肩カバー１０のフランジ１２と、フランジ１２の下面に平行する水平壁１８とによる凹溝であり、突起２９の水平溝１７への出入口１８ａには、水平壁１８の傾斜面１８ｂに続き乗り越え突起１７ａが形成され、水平溝１７の奥面はストッパ壁１７ｂとなっている。
【００３９】
この実施の形態において、ピストン部材２１と肩カバー１０を仮掛止状態に組み付けるは、ピストン部材２１を肩カバー１０の内側から嵌挿してピストン部材２１を時計回りに水平回転させる。この操作により、突起２９は水平溝１７の出入り口１８ａから傾斜面１８ｂに案内されて乗り越え突起１７ａを乗り越え、ストッパ壁１７ｂに当接して係合状態となる。
【００４０】
この吐出容器を組み立てるには、先の実施の形態と同様に、上記の手段で予め肩カバー１０とピストン部材２１を仮の掛止状態に組み付けた作動機構２０を容器本体１の頸部２に戴置し、下降する治具Ｇにより、バルブ機構４０を開通させた状態に保ちながら肩カバー１０の裾部１４と容器本体１の頸部２をアンダーカット係合により嵌合させる。
【００４１】
尚、肩カバー１０と容器本体１の係合はアンダーカット係合に限るものではなく、図７に示すように、容器本体の頸部２に雄ネジ５を設けると共に肩カバー１０の裾部１４に雌ネジを設け、ネジ嵌合で行ってもよい。
【００４２】
この実施の形態の容器を使用する際は、使用者がピストン部材２１を逆時計回り水平回転させる。この操作により、突起２９は乗り越え突起１７ａを乗り越え、水平溝１７の出入り口１８ａに至って仮掛止状態が解除され、使用可能となる。
【００４３】
突起２９が乗り越え突起１７ａを乗り越えるとき、乗り越え突起１７ａの抵抗を受ける。この抵抗感により未使用であることが感知できるとともに、使用によりピストン部材２１が下降すると、不正に元の仮掛止状態に戻すことは極めて困難であり、不正な着手があったことを感知することができる。
【００４４】
図８乃至図９に示す実施の形態は、ピストン部材２１の摺動部２７の上方に肩カバー１０のフランジ１２上面に掛止する為の掛止突起２９ａを突設すると共に、肩カバー１０のフランジ１２に肩カバー１０の内周面に連通し掛止突起２９ａを案内するガイド溝１２ａを刻設したものであり、突起２９ａを肩カバー１０のフランジ１２上面に掛止させることにより、肩カバー１０とピストン部材２１を仮係合状態としたものである。
【００４５】
この実施の形態において、ピストン部材２１と肩カバー１０を仮の掛止状態に組み付けるは、掛止突起２９ａとガイド溝１２ａの位置を合わせてピストン部材２１を肩カバー１０の内側から嵌挿し、ピストン部材２１を時計回りに水平回転させて掛止突起２９ａの位置を水平移動させる。この操作により、掛止突起２９ａがフランジ１２上面に掛止する。
【００４６】
この実施の形態の容器を使用する際は、使用者がピストン部材２１を逆時計回り水平回転させ、掛止突起２９ａとガイド溝１２ａの位置を合わせることにより仮掛止状態が解除され、使用可能となる。そして、使用により掛止突起２９ａがガイド溝１２ａに案内されてピストン部材２１が下降すると、不正に元の仮掛止状態に戻すことは極めて困難である。したがって、仮掛止状態が解除されていることで不正な着手があったことを感知することができる。
【００４７】
図１０乃至図１１は、本発明の吐出容器における別の作動機構２０ａによる実施の形態を示しており、押し釦３０ａの内部にバルブ機構４０ａを設け、吐出口３４ａの口元でバルブ機構２０ａの開閉を行うようにしたものである。
【００４８】
本実施の形態における押し釦３０ａは、バルブ機構４０ａを内装し、ピストン部材２１の内筒部２８に嵌着すると共に内筒部２８内に連通する通路３７ａを有する基台３７と、この基台３７に上下方向摺動可能に被嵌し、内部に前記バルブ機構４０ａに作用するカム板３８ａを設けたカバ体ー３８とで構成されている。
【００４９】
また、バルブ機構は４０ａ、吐出口３４ａが穿孔された先端部を押し釦３０ａから突出して装着されたノズル４４と、ノズル４４の吐出口３４ａを開閉するノズル４４内に移動可能に配置された弁部材４５と、弁部材４５を吐出口３４ａの閉方向へ付勢すると共に弁部材４５後端の傾斜面４６を介してカバー体３８を基台３７の上方位置に保持するスプリング４７とで構成されている。
【００５０】
この容器は、図１１に示すように、カバー体３８をスプリング４７の力に抗して押し下げると、カバー体３８のカム板３８ａが弁部材４５の傾斜面４６に摺動して下降し、弁部材４５が後退することによりノズル４４の吐出口３４ａが開通してバルブ機構４０ａは開放状態となり、また、カバー体３８を手放すと、スプリング４７の力により弁部材４５が移動して吐出口３４ａが閉鎖されると共にカバー体３８が元の位置に上昇するようになっている。
【００５１】
したがって、この実施の形態の容器にあっても、予め肩カバー１０と作動機構２０ａを仮の掛止状態に組み付けておき、治具により押し釦３０ａのカバー体３８を押し下げてバルブ機構４０ａを開通させながら組み付け作業を行い、組み付け後も仮掛止状態を維持することが可能である。
【００５２】
そして、使用の際には、使用者が押し釦３０ａのカバー体３８を押すと、バルブ機構４０ａがノズル４４の口元で開通すると共に、更に押し釦３０ａを押し下げること、カバー体３８の下端がピストン部材２１の縦リブ２４の上端面２４ａに当接して作動機構２０ａ全体を下降させる。ピストン部材２１で圧迫された内容物Ｎは、内筒部２８内から押し釦３０ａの通路３７ａを通って吐出口３４ａから排出される。
【００５３】
この容器にあっては、吐出口４３ａの口元でバルブ機構２０ａの開閉を行うようにしたので、容器内の通路において内容物が外気に触れた状態におかれることがなく、外気による乾燥や腐敗の心配がない。
【図面の簡単な説明】
【００５４】
【図１】本発明の吐出容器の実施の形態を示す縦断面図。
【図２】図１の容器の要部を拡大して示す縦断面図。
【図３】図１の容器の組み立て作業の状態を示す説明図。
【図４】図１の容器の使用を完了した状態を示す縦断面図。
【図５】別の実施の形態における要部を示す部分断面図。
【図６】図５の要部の一部分を拡大して示す説明図。
【図７】別の実施の形態を示す縦断面図。
【図８】別の実施の形態を示す斜視図。
【図９】図８の容器の要部を拡大して示す部分断面図。
【図１０】本発明の吐出容器の別の実施の形態を示す縦断面図。
【図１１】図１０の容器の作動状態を示す縦断面図。
【符号の説明】
【００５５】
１  容器本体，２  口頸部，１０  肩カバー，１１  内周面，１２ａ  ガイド溝，１３  突起，１７  水平溝，１７ａ  乗り越え突起，２０  作動機構，２２ａ  作動機構，２１  ピストン部材，２１ａ  掛止突起，２６  ピストンリング，２７  摺動部，２９  突起，３０、３０ａ  押し釦，４０、４０ａ  バルブ機構，Ｎ  内容物
【図１】
2006298409.tif 000003
【図２】
2006298409.tif 000004
【図３】
2006298409.tif 000005
【図４】
2006298409.tif 000006
【図５】
2006298409.tif 000007
【図６】
2006298409.tif 000008
【図７】
2006298409.tif 000009
【図８】
2006298409.tif 000010
【図９】
2006298409.tif 000011
【図１０】
2006298409.tif 000012
【図１１】
2006298409.tif 000013